(57)【特許請求の範囲】
【請求項１】
作物を刈り取ったのち機体横幅方向中間部に向けて横送りして合流させる刈取処理部と、その刈取処理部にて横送りされた作物を機体後方に向けて搬送するフィーダとが備えられ、
前記刈取処理部は、作物を刈り取る刈刃と、刈り取った作物を横送りする螺旋羽根付きのオーガと、前記オーガの下方に位置する底板及び前記オーガの機体後方側に位置する縦向き姿勢の背面板を有する刈取フレームと、前記刈取フレームの内面に位置して、前記オーガと前記刈取フレームとの間に位置する作物を前記フィーダ側へ移送案内する搬送ガイドとを備え、
前記搬送ガイドは、前記背面板から前記オーガに向けて突出する状態で、前記背面板のうち前記フィーダの入口よりも機体横幅方向における端部側の領域に設けられている収穫機。
【請求項２】
作物を刈り取ったのち機体横幅方向中間部に向けて横送りして合流させる刈取処理部と、その刈取処理部にて横送りされた作物を機体後方に向けて搬送するフィーダとが備えられ、
前記刈取処理部は、作物を刈り取る刈刃と、刈り取った作物を横送りする螺旋羽根付きのオーガと、前記オーガの下方に位置する底板及び前記オーガの機体後方側に位置する縦向き姿勢の背面板を有する刈取フレームと、前記刈取フレームの内面に位置して、前記オーガと前記刈取フレームとの間に位置する作物を前記フィーダ側へ移送案内する搬送ガイドとを備え、
前記刈取処理部は、前記フィーダに対して機体横幅方向一方側に偏倚した状態で前記フィーダに連結されており、
前記搬送ガイドは、前記刈取処理部における前記フィーダよりも機体横幅方向一方側に片持ち状に突出する片持ち部分のうち、前記フィーダの入口と隣接する箇所に設けられ、
前記搬送ガイドは、前記刈取処理部における前記片持ち部分の機体横幅方向中央部から前記フィーダの入口にわたる領域に設けられている収穫機。
【請求項３】
作物を刈り取ったのち機体横幅方向中間部に向けて横送りして合流させる刈取処理部と、その刈取処理部にて横送りされた作物を機体後方に向けて搬送するフィーダとが備えられ、
前記刈取処理部は、作物を刈り取る刈刃と、刈り取った作物を横送りする螺旋羽根付きのオーガと、前記オーガの下方に位置する底板及び前記オーガの機体後方側に位置する縦向き姿勢の背面板を有する刈取フレームとを備え、
前記オーガは、円筒状のドラムと、そのドラムの外周部から径方向外方側に立ち上げ形成されるとともに、ドラム軸心方向に螺旋状に設けられた螺旋羽根とを備え、
前記螺旋羽根における前記フィーダの入口に近接する箇所に、遊端部が基端部よりも作物送り方向下手側に位置する傾斜姿勢に設けられた傾斜羽根部を備えている収穫機。
【請求項４】
前記傾斜羽根部は、前記フィーダの入口から機体横幅方向に外れた位置から前記入口の前方に亘る範囲に設けられている請求項３に記載の収穫機。
【請求項５】
前記搬送ガイドは、前記底板と前記背面板とにわたって設けられた板部材にて構成されるとともに、機体横幅方向に間隔をあけて複数備えられている請求項１又は２記載の収穫機。
【請求項６】
前記刈取処理部は、前記フィーダに対して機体横幅方向一方側に偏倚した状態で前記フィーダに連結されており、
前記搬送ガイドは、前記刈取処理部における前記フィーダよりも機体横幅方向一方側に片持ち状に突出する片持ち部分のうち、前記フィーダの入口と隣接する箇所に設けられている請求項１又は５に記載の収穫機。
【発明の詳細な説明】
【技術分野】
【０００１】
本発明は、例えば、稲、麦、大豆、トウモロコシなどの作物を刈り取ったのち機体横幅方向中間部に向けて横送りして合流させる刈取処理部と、その刈取処理部にて横送りされた作物を機体後方に向けて搬送するフィーダとが備えられた収穫機に関する。
【背景技術】
【０００２】
上記収穫機としての普通型コンバインでは、刈取処理部に螺旋羽根付きのオーガを備え、刈刃によって植立作物を刈り取ったのち、オーガの下方に位置する底板とオーガの機体後方側に位置する縦向き姿勢の背面板とにより、刈り取った作物を受止めながらオーガの送り作用により横送りしてフィーダによって後方に搬送するようになっている（例えば、特許文献１参照）。
【先行技術文献】
【特許文献】
【０００３】
【特許文献１】特開２０１２−２４４９２４号公報
【発明の概要】
【発明が解決しようとする課題】
【０００４】
上記従来構成では、例えば、刈り取られた作物が長稈でなく、しかも、刈り取られた作物の量がそれほど多くなければ、オーガによって適切に横送りして全量をフィーダにより後方に搬送させることが可能である。
【０００５】
しかし、例えば、刈取対象である作物が長稈であって、しかも、刈り取られる作物の処理量が多い場合には、オーガによる横送り作用が良好に行われずに、作物がオーガの搬送途中で滞留して搬送詰まりが起こるおそれがあった。すなわち、長稈の作物を多量にオーガによって横送りすると、オーガと底板や背面板との間の隙間に滞留することがある。このような作物は、オーガの螺旋羽根による横送り作用を受けずに底板や背面板との間での摩擦により、オーガの軸心方向での移送が行われない状態となる。そして、このような滞留する作物が長稈であれば、オーガの回転に伴って、オーガの外周に長稈の作物が巻き付くことがある。そうすると、その後も順次刈り取られて搬送されてくる作物が巻付き箇所にて堆積してしまい、塊状になって搬送詰まりを起してしまうおそれがある。
【０００６】
そこで、作物の種類や処理量にかかわらず、刈取作物を良好にオーガによって横送りしてフィーダに受け渡すことができるようにすることが望まれていた。
【課題を解決するための手段】
【０００７】
本発明に係る収穫機の特徴構成は、
作物を刈り取ったのち機体横幅方向中間部に向けて横送りして合流させる刈取処理部と、その刈取処理部にて横送りされた作物を機体後方に向けて搬送するフィーダとが備えられ、
前記刈取処理部は、作物を刈り取る刈刃と、刈り取った作物を横送りする螺旋羽根付きのオーガと、前記オーガの下方に位置する底板及び前記オーガの機体後方側に位置する縦向き姿勢の背面板を有する刈取フレームと、前記刈取フレームの内面に位置して、前記オーガと前記刈取フレームとの間に位置する作物を前記フィーダ側へ移送案内する搬送ガイドとを備え、
前記搬送ガイドは、前記背面板から前記オーガに向けて突出する状態で、前記背面板のうち前記フィーダの入口よりも機体横幅方向における端部側の領域に設けられている点にある。
【０００８】
本発明によれば、刈刃により刈り取られた作物は、刈取フレームによって受止められて、オーガの螺旋羽根による横送り作用を受けて機体横幅方向中間部に向けて横送りして合流される。その後、横送り合流された作物は、フィーダに受け渡されてフィーダにより機体後方に向けて搬送される。このとき、刈り取られる作物が長稈であり、しかも、刈り取り量が多く、多量の刈取作物が搬入されると、オーガによって横送りされる際に、オーガと刈取フレームとの間の隙間に位置する作物は、オーガの螺旋羽根による横送り作用を受けずに滞留しがちになる。
【０００９】
このようにオーガと刈取フレームとの間の隙間に存在する作物は、螺旋羽根による横送り作用は受けないが、螺旋羽根の径方向外周端部による摺動作用によってオーガの回転方向に沿う回転力が作用するので、作物がオーガと共に連回りしながら回動する。
【００１０】
そして、オーガと刈取フレームとの間に位置する作物に作用する搬送ガイドが備えられるので、上述したようにオーガと共に連回りして回動する作物に対して搬送ガイドが作用して、作物をフィーダ側へ移送案内する。その結果、オーガと刈取フレームとの間の隙間に作物が滞留することを防止して、刈取作物を良好に横送りすることができる。
【００１１】
従って、作物の種類や処理量にかかわらず、刈取作物を良好にオーガによって横送りしてフィーダに受け渡すことが可能となった。
【００１２】
本発明に係る収穫機の特徴構成は、
作物を刈り取ったのち機体横幅方向中間部に向けて横送りして合流させる刈取処理部と、その刈取処理部にて横送りされた作物を機体後方に向けて搬送するフィーダとが備えられ、
前記刈取処理部は、作物を刈り取る刈刃と、刈り取った作物を横送りする螺旋羽根付きのオーガと、前記オーガの下方に位置する底板及び前記オーガの機体後方側に位置する縦向き姿勢の背面板を有する刈取フレームと、前記刈取フレームの内面に位置して、前記オーガと前記刈取フレームとの間に位置する作物を前記フィーダ側へ移送案内する搬送ガイドとを備え、
前記刈取処理部は、前記フィーダに対して機体横幅方向一方側に偏倚した状態で前記フィーダに連結されており、
前記搬送ガイドは、前記刈取処理部における前記フィーダよりも機体横幅方向一方側に片持ち状に突出する片持ち部分のうち、前記フィーダの入口と隣接する箇所に設けられ、
前記搬送ガイドは、前記刈取処理部における前記片持ち部分の機体横幅方向中央部から前記フィーダの入口にわたる領域に設けられている点にある。
【００１３】
本構成によれば、刈取処理部はフィーダに対して機体横幅方向一方側に偏倚しているが、刈取処理部により刈り取られた作物は、刈取処理部の機体横幅方向の全域にわたって存在する。そして、刈り取られた作物は、オーガによってフィーダの入口に向けて横送りされる。このとき、刈取処理部におけるフィーダよりも機体横幅方向一方側に片持ち状に突出する片持ち部分においては、その片持ち部分にて刈り取られた作物が全てフィーダの入口に向けて横送りされる。そして、フィーダの入口と隣接する箇所においては、オーガによって横送りされた作物と、その箇所で刈り取られて送り込まれる作物とが共に存在することになり、作物の量が他の部分よりも多くなる。
このように作物の量が多くなる箇所では、作物の滞留が起きやすいので、このフィーダの入口と隣接する箇所に搬送ガイドを設けることで、作物の滞留を効率よく解消させることができる。
また、本構成によれば、搬送ガイドが、作物の量が多くなり易い箇所において、片持ち部分の機体横幅方向の半分の広い範囲にわたって設けられるので、より一層作物の滞留を解消させ易いものとなる。
【００１４】
本発明に係る収穫機の特徴構成は、
作物を刈り取ったのち機体横幅方向中間部に向けて横送りして合流させる刈取処理部と、その刈取処理部にて横送りされた作物を機体後方に向けて搬送するフィーダとが備えられ、
前記刈取処理部は、作物を刈り取る刈刃と、刈り取った作物を横送りする螺旋羽根付きのオーガと、前記オーガの下方に位置する底板及び前記オーガの機体後方側に位置する縦向き姿勢の背面板を有する刈取フレームとを備え、
前記オーガは、円筒状のドラムと、そのドラムの外周部から径方向外方側に立ち上げ形成されるとともに、ドラム軸心方向に螺旋状に設けられた螺旋羽根とを備え、
前記螺旋羽根における前記フィーダの入口に近接する箇所に、遊端部が基端部よりも作物送り方向下手側に位置する傾斜姿勢に設けられた傾斜羽根部を備えている点にある。
【００１５】
ドラムの外周部に設けられた螺旋羽根が回転するに伴って、その螺旋状の羽根の送り面により作物が押し移動されて横送りされるが、上述したように、フィーダの入口に近接する箇所においては作物の量が多くなり、作物の一部がオーガの回転に伴う遠心力によって径方向外方に向けて放出されて、滞留やオーガへの巻付きの原因となり易い。さらに、オーガにおけるフィーダの入口に対応する箇所には、横送りして合流された作物をフィーダの内部に向けて掻き込む掻き込み体が備えられるが、多量の作物がオーガの遠心力によって径方向外方側に塊状になって放出されることがあり、このような塊状の作物が搬送詰まりの原因になるおそれもあった。
【００１６】
そこで、本構成によれば、螺旋羽根におけるフィーダの入口に近接する箇所に傾斜羽根部が備えられている。この傾斜羽根部は、遊端部が基端部よりも作物送り方向下手側に位置しているので、フィーダの入口に近接する箇所において、螺旋羽根の送り面によって横送り移送している作物を、傾斜羽根部によって押さえて、遠心力によって径方向外方に放出されることを抑制できる。
【００１７】
その結果、作物が遠心力によって径方向外方に放出されて滞留してオーガに巻付いたり、作物がフィーダの内部に向けて掻き込まれる箇所に多量の作物が塊状のまま放出されて詰まりが発生する等の不利を回避することができる。
【００１８】
本発明においては、前記傾斜羽根部は、前記フィーダの入口から機体横幅方向に外れた位置から前記入口の前方に亘る範囲に設けられていると好適である。
【００１９】
傾斜羽根部を、フィーダの入口から機体横幅方向に外れた位置にのみ設ける場合には、フィーダの入口に対応する箇所にまで移送された作物は、一挙に径方向外方に放出されるので、詰まりの発生等のおそれがある。
【００２０】
これに対して、本構成によれば、傾斜羽根部は、フィーダの入口から機体横幅方向に外れた位置だけでなく、その位置から入口の前方に亘る範囲に設けられているから、フィーダの入口に対応する箇所にまで移送されたのちにおいても、傾斜羽根部による送り作用が続いているので、作物は、徐々に径方向外方に放出されることになり、詰まり等の発生のおそれが少なくなる。
【００２１】
本発明においては、前記搬送ガイドは、前記底板と前記背面板とにわたって設けられた板部材にて構成されるとともに、機体横幅方向に間隔をあけて複数備えられていると好適である。
【００２２】
本構成によれば、搬送ガイドが板部材にて構成され、刈取フレームにおける底板と背面板とにわたって設けられる。底板は、オーガの下方に位置して略機体前後方向に沿う姿勢の板体で形成され、背面板は、オーガの機体後方側に位置して縦向き姿勢の板体にて形成される。底板と背面板との接続箇所は略Ｌ字形に屈曲した状態となり、オーガとの間に側面視で略三角形状の空間が形成されることがある。このような空間が形成されると、作物が滞留するおそれが大となる。
【００２３】
そこで、底板と背面板とにわたって板部材からなる搬送ガイドが設けられるので、上述したような底板と背面板との接続箇所に形成される空間に作物が滞留することを回避させることができる。しかも、搬送ガイドが機体横幅方向に間隔をあけて複数備えられるので、機体横幅方向に広い範囲で作物送り作用を発揮させることができ、作物の横送り移送を適切に行えるものとなる。
【００２４】
本発明においては、
前記刈取処理部は、前記フィーダに対して機体横幅方向一方側に偏倚した状態で前記フィーダに連結されており、
前記搬送ガイドは、前記刈取処理部における前記フィーダよりも機体横幅方向一方側に片持ち状に突出する片持ち部分のうち、前記フィーダの入口と隣接する箇所に設けられていると好適である。
【００２５】
本構成によれば、刈取処理部はフィーダに対して機体横幅方向一方側に偏倚しているが、刈取処理部により刈り取られた作物は、刈取処理部の機体横幅方向の全域にわたって存在する。そして、刈り取られた作物は、オーガによってフィーダの入口に向けて横送りされる。このとき、刈取処理部におけるフィーダよりも機体横幅方向一方側に片持ち状に突出する片持ち部分においては、その片持ち部分にて刈り取られた作物が全てフィーダの入口に向けて横送りされる。そして、フィーダの入口と隣接する箇所においては、オーガによって横送りされた作物と、その箇所で刈り取られて送り込まれる作物とが共に存在することになり、作物の量が他の部分よりも多くなる。
【００２６】
このように作物の量が多くなる箇所では、作物の滞留が起きやすいので、このフィーダの入口と隣接する箇所に搬送ガイドを設けることで、作物の滞留を効率よく解消させることができる。
【図面の簡単な説明】
【００２７】
【図１】コンバインの全体側面図である。
【図２】コンバインの全体平面図である。
【図３】オーガの平面図である。
【図４】刈取処理部の右側面図である。
【図５】刈刃が高位置にあるときの刈取処理部の右側面図である。
【図６】オーガドラムを示す平面図である。
【図７】オーガの切欠き平面図である。
【図８】刈取処理部の一部縦断側面図である。
【図９】傾斜羽根部の断面図である。
【図１０】螺旋羽根の断面図である。
【図１１】刈取処理部の縦断正面図である。
【図１２】刈取処理部の一部分解斜視図である。
【図１３】刈刃の平面図である。
【図１４】右側のデバイダ配設部の横断平面図である。
【図１５】刈刃の駆動部の縦断正面図である。
【図１６】刈刃の一部平面図である。
【図１７】図１６のＸＶＩＩ―ＸＶＩＩ線断面図である。
【図１８】衝撃吸収材の取り付け状態を示す平面図である。
【図１９】衝撃吸収材の取り付け状態を示す正面図である。
【発明を実施するための形態】
【００２８】
以下、本発明に係る収穫機の一例としての普通型コンバインの実施形態を図面に基づいて説明する。
〔全体構成〕
図１及び図２に、稲や麦などの作物を収穫対象とする普通型コンバインが示されている。このコンバインは、機体フレーム１の下部に左右一対のクローラ式走行装置２を装備した走行機体の前部に、収穫対象の作物としての植立穀稈を刈り取って後方に向けて搬送する刈取搬送部３を昇降揺動可能に連結している。そして、走行機体は、機体フレーム１上に、刈取搬送部３から搬送される作物としての刈取穀稈を扱き処理するとともに、その扱き処理で得られた脱穀処理物を穀粒と排出物とに選別する脱穀装置４、脱穀装置４にて得られた穀粒を貯留する穀粒タンク５、穀粒タンク５に貯留される穀粒を機外に排出するための穀粒排出装置６、操縦者が搭乗して運転操作を行う運転部７等が備えられている。このコンバインは、植立穀稈の株元を切断して刈り取り、刈り取った刈取穀稈の全部を脱穀装置４に投入する全稈投入型に構成されている。
【００２９】
運転部７は機体前部右側に位置し、運転部７の後方に穀粒タンク５が位置している。さらに、脱穀装置４が左側に位置し、穀粒タンク５が右側に位置する状態で、脱穀装置４と穀粒タンク５とが左右方向に並ぶ状態で備えられている。そして、運転部７の下方側には、駆動用のエンジン８が備えられている。
【００３０】
この実施形態で、機体の前後方向を定義するときは、作業状態における機体進行方向に沿って定義し、機体の左右方向を定義するときは、機体進行方向視で見た状態で左右を定義する。すなわち、図１，２に符号（Ｆ）で示す方向が機体前側、図１，２に符号（Ｂ）で示す方向が機体後側である。図２に符号（Ｌ）で示す方向が機体左側、図２に符号（Ｒ）で示す方向が機体右側である。従って、機体左右方向が機体横幅方向に対応する。
【００３１】
刈取搬送部３は、車体の走行に伴って、刈取対象となる植立穀稈を刈り取る刈取処理部９と、刈取処理部９にて刈り取られた刈取穀稈を機体後部側の脱穀装置４に向けて搬送するフィーダ１０とを備え、機体フレーム１とフィーダ１０とにわたって架設した刈取昇降用の油圧シリンダ１１が伸縮作動することで、横軸芯Ｐ１周りで昇降揺動自在に支持されている。
【００３２】
刈取処理部９は、刈取処理部９全体を支持する枠体としての刈取フレーム１２によって支持され、刈取対象となる植立穀稈と非刈取対象の植立穀稈とを分草する左右一対のデバイダ１３と、収穫対象の植立穀稈を後方に向けて掻き込む回転リール１４と、収穫対象の植立穀稈の株元側を切断して刈り取るバリカン形の刈刃１５と、切断後の刈取穀稈を左右方向の中間側に横送りして寄せ集めて後方に向けて送り出すオーガ１６とを備えている。
【００３３】
図２に示すように、刈取処理部９の左右幅（刈幅）は、左右のクローラ走行装置２の横外端部間の距離、言い換えると、走行機体の横幅よりも大きくなっており、刈取処理部９による植立作物の刈跡に形成される左右のクローラ走行装置２の踏み代が、左右方向に大きく確保されるようになっている。これにより、収穫作業時に左右のクローラ走行装置２による未収穫作物の踏みつけのおそれが少なくなっている。
【００３４】
上述したように、刈取処理部９の左右幅は走行機体の横幅よりも大きいが、機体前部右側に運転部７が位置しており、フィーダ１０が機体前部左側に位置するので、刈取処理部９は、フィーダ１０に対して機体横幅方向一方側（右側）に偏倚した状態でフィーダ１０に連結されている。
【００３５】
図８に示すように、刈取フレーム１２は、角パイプや断面Ｌ字形のアングル材等を連結して構成される枠組み支持体１７と、オーガ１６の下方に位置して刈取穀稈を受止め案内する底板１８と、オーガ１６の機体後方側に位置する縦向き姿勢の背面板１９と、機体横幅方向両側端部に位置する一対の側壁部２０等を備えている。左右のデバイダ１３は、刈取フレーム１２における左右の側壁部２０の機体前部側に備えられている。図１１に示すように、背面板１９のフィーダ１０が接続される箇所はフィーダ１０の入口２１が連通するように開口しており、オーガ１６から収穫作物を搬送することができる。
【００３６】
図２及び図８に示すように、底板１８の前端に沿って左右の側壁部２０に亘ってバリカン型刈刃１５が配備されるとともに、左右の側壁部２０に亘って横軸心周りで回転自在にオーガ１６が架設されている。
【００３７】
〔回転リール〕
回転リール１４について説明する。
図１及び図２に示すように、回転リール１４は、刈取フレーム１２の後端側の上部から前向きに延出している左右一対の支持アーム２２にて架設支持される状態で備えられている。説明を加えると、一対の支持アーム２２の先端部に回転自在に支持された駆動軸２３の左右端部に一体回転自在にリールフレーム２４が備えられている。左右一対のリールフレーム２４は夫々、側面視で略六角形状に構成されている。これらの左右一対のリールフレーム２４に亘って架設される状態で且つ６個の頂部に一本ずつ位置する状態でタイン支持部材２５が設けられ、各タイン支持部材２５には、その長手方向に沿って並べる状態で複数のタイン２６（掻込み爪）が取り付けられている。
【００３８】
リールフレーム２４には、タイン２６が回転リール１４の回転にかかわらずタイン支持部材２５から下方向きに延出した姿勢を保持するように、その姿勢を保持するための姿勢保持機構が備えられている。この姿勢保持機構は周知構造のものであり、その構成については詳述はしないが、回転リール１４が回転すると、タイン２６が下方向き姿勢を保持したまま回動して植立穀稈を後方に掻き込むことができるように構成されている。
【００３９】
一対の支持アーム２２夫々と側壁部２０とにわたって夫々油圧シリンダ２７が連結され、それら一対の油圧シリンダ２７によって、一対の支持アーム２２がその後部基端側の軸芯Ｐ２周りに刈取フレーム１２に対して上下に揺動操作されることにより、回転リール１４が昇降自在に支持される構成となっている。
【００４０】
〔刈刃１５〕
刈刃１５について説明する。
図８及び図１７に示すように、刈刃１５は、底板１８の前端部に機体横幅方向にわたって延設された連結フレーム２８に背中合わせで取付固定されているアングル状の基台２９と、基台２９に装着された受け刃３０と、受け刃３０に対してスライド自在に支持されている可動刃３１と、可動刃３１を駆動するナイフバー３２と、可動刃３１を保持するナイフクリップ３３とを備えている。
【００４１】
後述するような駆動機構を介して、エンジン８からの動力が伝達されて、刈幅全幅にわたる長尺のナイフバー３２を所定ピッチで往復移動駆動するように構成され、このナイフバー３２に連結固定された可動刃３１が往復移動して、固定状態の受け刃３０との協働により、刈取穀稈の株元を切断して刈り取ることができる。
【００４２】
図１３に示すように、可動刃３１は、刈り取った穀稈を機体横幅方向中間側箇所（フィーダ１０への受け渡し箇所）へ送り出すための部材として、フィーダ１０への受け渡し箇所に対して機体進行方向視で右側に位置する右側横送り部材３４と、左側に位置する左側横送り部材３５とを備えている。
【００４３】
図１６及び図１７に示すように、左右両側の横送り部材３４，３５は、機体横幅方向に長尺で且つ上側に鋸歯状の横送り作用部３４Ａ，３５Ａと、連結部３４Ｂ，３５Ｂとが１つの板状体にて構成されている。そして、連結部３４Ｂ，３５Ｂがナイフバー３２にボルト１１０によって連結され、両横送り部材３４，３５は、ナイフバー３２及び可動刃３１と一体的に往復移動する構成となっている。ナイフバーに対するボルト１１０の連結を解除すると、両横送り部材３４，３５は、刈刃１５から全体を取り外すことができる。
【００４４】
図１３に示すように、右側横送り部材３４における横送り作用部３４Ａは、刈取穀稈をフィーダ１０側、すなわち、左方向に向けて搬送するように鋸歯の向きが設定され、左側横送り部材３５における横送り作用部３５Ａは、刈取穀稈をフィーダ１０側、すなわち、右方向に向けて搬送するように鋸歯の向きが設定されている。従って、これらの横送り部材３４，３５が、可動刃３１と一体的に所定ピッチで往復移動することで、刈り取った穀稈を機体横幅方向中央側、すなわち、フィーダ１０への受け渡し箇所へ送り出すことができる。
【００４５】
左右両側の横送り部材３４，３５は、後方側ほど上方に位置する斜め姿勢で連結されている。刈刃１５に対する傾斜角度は緩め（約１０度）に設定してあり、刈取穀稈の搬送の邪魔にならないようにしている。しかも、基台２９の後端位置よりも機体後方に長く延設されており、刈取穀稈の送り出し機能を高めている。
【００４６】
〔刈刃１５の駆動機構〕
刈刃１５の駆動機構について説明する。
図１１、図１２、図１４及び図１５に示されるように、背面板１９の後部側において機体横幅方向に沿って延びる刈取伝動軸３７と、横軸心周りでの回転動力を前後軸心周りでの動力に変換する動力変換機構３８と、変換された動力により回動する前後方向に沿った中継伝動軸３９と、中継伝動軸３９の前端部に備えられた揺動アーム４０と、この揺動アーム４０とナイフバー３２とを連動連結するリンク４１とを備えている。
【００４７】
図示しない伝動機構を介してエンジン８の動力が刈取伝動軸３７に動力が伝達され、刈取伝動軸３７が横軸心周りで回転駆動される。動力変換機構３８は、周知の構成であるから詳細な構成については記載しないが、刈取伝動軸３７の一方向の回転運動を中継伝動軸３９の往復回動運動に変換するように、刈取伝動軸３７と中継伝動軸３９とを連結している。
【００４８】
揺動アーム４０は、中継伝動軸３９の前端部に連結固定されている。揺動アーム４０は、第一軸受部材４２を介してリンク４１の一端に回動自在に連結されている。リンク４１の他端は、第二軸受部材４３を介して可動刃３１に連結されている。中継伝動軸３９が往復回動すると、揺動アーム４０が左右に揺動し、可動刃３１が左右方向に往復駆動される。
【００４９】
図１２及び図１４に示すように、右側の側壁部２０から機体横幅方向外方側に突出する支持部４５が備えられ、この支持部４５に形成された挿通孔４６を中継伝動軸３９が前後に挿通し、支持部４５の前部側に取り付けられたベアリングホルダー４７に収納されたベアリング４８により中継伝動軸３９が回動自在に支持されている。
【００５０】
刈刃１５の機体横幅方向外方側に刈刃１５を保護する刈刃ガード４９が備えられている。刈刃ガード４９は、帯板状のプレート部材５０と丸棒部材５１とを備えている。丸棒部材５１は、プレート部材５０の後部側に溶接等により固定されている。丸棒部材５１は、側面視で前側が開放された横向きのＵ字状の部材となっている。刈刃ガード４９の前部側は、プレート部材５０の前端部が側壁部２０にボルトで連結されている。刈刃ガード４９の後部側は、丸棒部材５１に連結されたブラケット５２を介して支持部４５の側面にボルト連結されている。
【００５１】
〔刈刃１５の振動抑制構造〕
刈刃１５には、可動刃３１の移動に伴う振動や騒音を抑えるために、可動刃３１を移動ストロークの端部で受け止めて衝撃吸収することにより振動を抑制する衝撃吸収材Ｑを備えている。
【００５２】
図１８及び図１９に示すように、刈刃１５の長手方向両側部において、基台２９に固定された取付板５４に円柱状の支持台５５が固定され、この支持台５５に当て付けてボルトで締め付ける状態で衝撃吸収材Ｑが固定されている。この衝撃吸収材Ｑは、例えば、衝撃吸収ゲルや低反発ウレタン等からなる。衝撃吸収材Ｑは、ナイフバー３２がスクロークエンドに至ると、ナイフバー３２の端部が衝突する位置に設けられている。この衝撃吸収材Ｑにより、ナイフバー３２（可動刃３１）がストロークエンドにおいて移動を停止させるときの衝撃を吸収することができる。
【００５３】
〔刈刃１５の位置変更〕
刈刃１５は、例えば、倒伏作物を刈取対象とする場合等において、通常の位置よりも高い位置に取り付け位置を変更することができる。
倒伏作物を刈取対象とする場合には、刈刃１５における基台２９を、連結フレーム２８から取り外して高い位置に装着する。すなわち、図５に示すように、左右両側の側壁部２０に夫々、支持ブラケット５６が取り付けられ、左右の支持ブラケット５６に亘って基台２９が取り付けられる。支持ブラケット５６における取り付け面は、連結フレーム２８の取り付け面２８ａに対して少し上側が後側に傾斜した姿勢に形成されている。このように形成することで、高さを変更しても刈刃１５の対地姿勢が略同じ姿勢になるようにしている。
【００５４】
刈刃１５が高い位置に変更するのに伴って、駆動用の中継伝動軸３９及び揺動アーム４０等も同様に、上方側の高い位置に付け替える必要がある。図１２に示すように、中継伝動軸３９の後端部は動力変換機構３８を介して刈取伝動軸３７に支持されている。中継伝動軸３９の前部側が、刈取伝動軸３７の軸心周りで上下方向に揺動して高い位置にある刈刃１５を駆動するように構成されている。
【００５５】
図１２に示すように、中継伝動軸３９の前部側を支持する支持部４５に挿通孔４６が上下に位置を異ならせて２個形成されている。刈刃１５が低位置（通常の位置）にあるときは、中継伝動軸３９が低い方の挿通孔４６を挿通し、刈刃１５が高位置（倒伏作物用の位置）にあるときは、中継伝動軸３９が高い方の挿通孔４６を挿通する。
【００５６】
図４に示すように、中継伝動軸３９が低い方の挿通孔４６を挿通するときは、支持部４５の前面側にベアリングホルダー４７が取り付けられる。中継伝動軸３９の前部側が、ベアリングホルダー４７に内装されたベアリング４８にて回動自在に支持される。
【００５７】
図５に示すように、中継伝動軸３９が高い方の挿通孔４６を挿通するときは、支持部４５の前面側に受け台５８を介してベアリングホルダー４７が取り付けられる。受け台５８におけるベアリングホルダー４７が取り付けられる取付面は、支持部４５の前面に対して少し上側が後側に傾斜した姿勢に形成されている。このように形成することで、ベアリング４８の姿勢が中継伝動軸３９の姿勢と一致して、中継伝動軸３９の前部側が、ベアリングホルダー４７に内装されたベアリング４８にて回動自在に支持される。
【００５８】
刈刃１５の位置変更に対応して、刈刃ガード４９の位置を変更できるように構成されている。つまり、刈刃ガード４９の前部側の側壁部２０に対するボルト連結を緩めた状態で後部側を揺動操作して上方に位置させて、支持部４５の異なる位置にブラケット５２をボルト連結することで高い位置にて固定することができる。
【００５９】
このように刈刃１５を高い位置に変更すると、回転リール１４の下端部を側面視で刈刃１５よりも下方に下げることができる。このように構成することで、例えば、軟弱な圃場において植立穀稈が倒伏している場合であっても、倒伏している穀稈に対して回転リール１４による掻き込み機能を有効に発揮させて、回転リール１４で掻き込みながら、刈刃１５にて良好に刈り取り作業を行うことができる。
【００６０】
〔オーガ１６〕
オーガ１６について説明する。
図２及び図８に示すように、オーガ１６は、大径の円筒形のドラム５９の外周に、前方回転に伴ってフィーダ１０の前端部に向けて横送り機能を発揮する左右一対の螺旋羽根６０が備えられている。フィーダ１０の前端の入口２１に臨む横幅域でドラム５９から出退する棒状の掻き込み体６１が周方向並びに軸心方向に位置を異ならせて７本備えられている。右側横送り域の途中箇所には、ドラム５９から出退する１本の掻き込み体６１が備えられ、左側横送り域の途中箇所には、ドラム５９から出退する２本の掻き込み体６１が備えられている。合計１０本の掻き込み体６１を備えている。
【００６１】
図７に示すように、ドラム５９の左右両端近傍における内部には蓋板６２，６３が固設されるとともに、ドラム５９の内部には間隔をあけて一対の中間支持板６４，６５が固設されている。右側の蓋板６２と右側の中間支持板６４により回転支軸６６が支持され、回転支軸６６が右側の蓋板６２に連結され、回転支軸６６がドラム５９に一体連結される構成となっている。
【００６２】
左側の側壁部２０には、回転支軸６６と同心上に位置する状態で固定支軸６８が連結固定され、この固定支軸６８は、ベアリング６９及び軸受けブラケット７０を介して、ドラム５９における左側の蓋板６３を回動自在に外嵌支持している。
【００６３】
固定支軸６８に対してキー連結によって回転が固定される状態で偏芯支軸７１が備えられている。この偏芯支軸７１の外周部に掻き込み体６１が固定支軸６８に沿う軸芯Ｐ３周りで回転自在に装着されている。複数の掻き込み体６１は、夫々、ドラム５９を出退自在に摺動案内されるように構成されている。偏芯支軸７１は左右一対備えられ、左右の偏芯支軸７１は、左側の中間支持板６５に軸受けブラケット７０を介して支持される中継軸７３にて連結されている。
【００６４】
オーガ１６は、回転支軸６６が駆動回転されてドラム５９が図８において反時計方向に回転すると、各掻き込み体６１は追従して偏芯支軸７１の軸芯周りに回動し、この時、偏芯支軸７１とドラム５９との距離が回動位相によって変化することになり、各掻き込み体６１は、ドラム５９から出退しながら回動して、底板１８や背面板１９との干渉を回避しながら作物をフィーダ１０に掻き込むことになる。
【００６５】
図６に示すように、ドラム５９には、掻き込み体６１の組み付け作業やメンテナンス作業のために開口７６ａが形成され、この開口７６ａは脱着自在なカバー７６ｂで閉塞するようになっている。開口７６ａは、４個の円形状の開口と１個の長孔状の開口とがある。
４個の円形の開口７６ａのうち、右側３番面のものは、左右一対の偏芯支軸７１を支持する中継軸７２周りのクランク状の支持部の組み付けやメンテナンスのためのものである。
図６は、構造が理解し易いようにドラム５９の１周分を展開する型式で記載している。
【００６６】
掻き込み体６１によるフィーダ１０の入口２１への掻き込み作用領域において、左右の螺旋羽根６０の間に位置させて、側面視で三角形状の搬送プレート７４が設けられている。搬送プレート７４は、入口２１の左右幅と略等しい左右幅に形成されている。搬送プレート７４は、収穫作物を入口２１側へ搬送するようになっている。
【００６７】
オーガ１６は、螺旋羽根６０におけるフィーダ１０の入口２１に近接する箇所に、遊端部が基端部よりも作物送り方向下手側に位置する傾斜姿勢に設けられた傾斜羽根部７５を備えている。図７に示すように、この傾斜羽根部７５は、右側の螺旋羽根６０におけるフィーダ１０の入口２１から機体横幅方向に外れた位置から入口２１の前方に亘る範囲に設けられている。具体的には、右側の螺旋羽根６０の左側端部から右側に向けてドラム５９の外周に沿って約１８０度巻回される領域に設けられている。
【００６８】
傾斜羽根部７５を除く他の領域では、図１０に示すように、螺旋羽根６０はドラム５９の外周面に対して９０度の角度を有する状態となっているが、図９に示すように、傾斜羽根部７５は、ドラム５９の外周面に対して９０度から所定角度α（例えば、約２０度）だけフィーダ１０の入口２１側へ内向きに傾斜した状態で接合されている。
【００６９】
すなわち、この傾斜羽根部７５における入口２１近傍に位置する部位における搬送面は、ドラム５９の径方向外側に位置するほど入口２１側に近付くように傾斜している。これにより刈取穀稈の搬送量が多くなる領域において、刈取穀稈がドラム５９の径方向外側へ飛び出すことが抑制される。その結果、オーガ１６に対して収穫作物の巻き付き等が生じにくくなり、オーガ１６における収穫作物の詰まりの発生を好適に抑制できる。右側の螺旋羽根６０のうち、傾斜羽根部７５とそれ以外の他の領域の螺旋羽根６０との間は、板金材等を用いて接続される。
【００７０】
〔搬送ガイド〕
刈取フレーム１２には、その内面に位置して、オーガ１６と刈取フレーム１２との間に位置する刈取穀稈（作物）をフィーダ１０側へ移送案内する搬送ガイド７７が備えられている。搬送ガイド７７は、底板１８と背面板１９とにわたって設けられた板部材にて構成されるとともに、機体横幅方向に間隔をあけて複数備えられている。
【００７１】
図２及び図７に示すように、刈取処理部９は、フィーダ１０に対して機体右側に偏倚した状態でフィーダ１０に連結され、刈取処理部９はフィーダ１０よりも機体右側に片持ち状に突出する状態で連結されている。そして、搬送ガイド７７は、刈取処理部９におけるフィーダ１０よりも機体右側に片持ち状に突出する片持ち部分のうち、フィーダ１０の入口２１と隣接する箇所に設けられている。具体的には、図７に示すように、搬送ガイド７７は、刈取処理部９における片持ち部分の機体横幅方向中央部からフィーダ１０の入口２１にわたる領域Ｗ１に設けられている。
【００７２】
次に、搬送ガイド７７の構成について説明する。
図８及び図１２に示すように、搬送ガイド７７は、上下両側のスクレーパ８１により分断される状態で、上下方向に３つに分割された３種のガイド構成体７８，７９，８０を備えている。
【００７３】
詳細については図示していないが、上下両側のスクレーパ８１は、オーガ１６により横送りされる収穫作物に対して掻き落とし作用を発揮するものであり、入口２１を挟んで左右両側に備えられる。各スクレーパ８１は、Ｌ字状のアングル材で構成され、横幅方向にわたり長尺状に形成されている。
【００７４】
図８及び図１２に示すように、最下段に位置する第１ガイド構成体７８は、底板１８と背面板１９とが接続される角部に位置して、機体側面視で、底板１８と、背面板１９のうち下側のスクレーパ８１より下側の箇所と、オーガ１６の外端縁によって形成される略三角形状の領域を覆う状態で、且つ、機体正面視で、上方側ほど機体右側に位置する傾斜姿勢にて設けられている。
【００７５】
第１ガイド構成体７８は、板体を略Ｌ字形に屈曲した形状となっており、上記した略三角形状の領域にて刈取穀稈を搬送案内する搬送案内部７８Ａと、底板１８及び背面板１９に取り付けるための取付部７８Ｂとを備えている。取付部７８Ｂが、ボルトの締結により底板１８及び背面板１９に連結されている。
【００７６】
上下方向の中段に位置する第２ガイド構成体７９は、機体側面視で、背面板１９のうち上下のスクレーパ８１にて挟まれる箇所とオーガ１６の外端縁によって形成される領域を覆う状態で、且つ、機体正面視で、第１ガイド構成体７８の上側に連なる状態で上方側ほど機体右側に位置する傾斜姿勢にて設けられている。
【００７７】
第２ガイド構成体７９は、板体を略Ｌ字形に屈曲した形状となっており、上記した領域にて刈取穀稈を搬送案内する搬送案内部７９Ａと、背面板１９に取り付けるための取付部７９Ｂとを備えている。取付部７９Ｂが、ボルトの締結により背面板１９に連結されている。
【００７８】
上下方向の上段に位置する第３ガイド構成体８０は、機体側面視で、背面板１９のうち上のスクレーパ８１よりも上側の箇所とオーガ１６の外端縁によって形成される領域を覆う状態で、且つ、機体正面視で、第２ガイド構成体７９の上側に連なる状態で上方側ほど機体右側に位置する傾斜姿勢にて設けられている。
【００７９】
第３ガイド構成体８０は、板体を略Ｌ字形に屈曲した形状となっており、上記した領域にて刈取穀稈を搬送案内する搬送案内部８０Ａと、背面板１９に取り付けるための取付部８０Ｂとを備えている。取付部８０Ｂが、ボルトの締結により背面板１９に連結されている。
【００８０】
第１ガイド構成体７８と、第２ガイド構成体７９と、第３ガイド構成体８０とを組み合わせて１組の搬送ガイド７７が構成されている。そして、図７及び図１２に示すように、３組の搬送ガイド７７が、刈取処理部９における片持ち部分の機体横幅方向中央部からフィーダ１０の入口２１にわたる領域において、機体横幅方向に間隔をあけて備えられている。
【００８１】
このような搬送ガイド７７を備えることにより、刈取穀稈の搬送量が多くなるフィーダ１０の入口と隣接する箇所において、刈取穀稈のオーガ１６への巻き付きを防止して良好に横送りすることができる。
【００８２】
〔フィーダ〕
フィーダ１０は、図１に示すように、角筒状のフィードケース８２の内部に、後上部側に位置する駆動輪体８３と、前下部に位置する従動輪体８４とにわたって、左右一対の無端回動チェーン８５が巻回され、左右一対の無端回動チェーン８５に亘って所定ピッチ毎に係止搬送体（図示せず）が架設されている。フィードケース８２の前端部に刈取処理部９に連通する入口２１が形成されている。フィードケース８２の後端部は、脱穀装置４に連通接続されている。そして、無端回動チェーン８５が回動することで、刈取処理部９から受け渡された収穫作物（刈取穀稈）を脱穀装置４に向けて搬送する。
【００８３】
〔別実施形態〕
（１）上記実施形態では、搬送ガイド７７を刈取処理部９におけるフィーダ１０よりも機体右側に位置する状態で設ける構成としたが、刈取処理部９におけるフィーダ１０よりも機体左側にも搬送ガイド７７を設ける構成としてもよい。
【００８４】
（２）上記実施形態では、搬送ガイドを、板部材にて構成して、機体横幅方向に間隔をあけて３個備える構成としたが、３個に限らず、１個だけ備える構成、２個備える構成、又は、４個以上備える構成でもよい。
【００８５】
（３）上記実施形態では、搬送ガイドが、上下方向に３つに分割形成される構成としたが、そのうち最下部に位置するガイドだけを構成するものでもよい。
【００８６】
（４）上記実施形態では、傾斜羽根部が、フィーダの入口から機体横幅方向に外れた位置から入口の前方に亘る範囲に設けられる構成としたが、この構成に代えて、傾斜羽根部をフィーダの入口から機体横幅方向に外れた位置にだけ設ける構成としてもよく、一部だけに限らず、オーガの全幅にわたって傾斜羽根部を備える構成としてもよい。
【００８７】
（５）上記実施形態では、稲や麦などを刈り取る普通型コンバインに適用するものを示したが、本発明はトウモロコシ収穫機等の他の種類の収穫機に適用することができる。
【産業上の利用可能性】
【００８８】
本発明は、普通型のコンバインやトウモロコシ収穫機等の収穫機に適用できる。
【符号の説明】
【００８９】
９        刈取処理部
１０      フィーダ
１２      刈取フレーム
１５      刈刃
１６      オーガ
１８      底板
１９      背面板
２１      入口
５９      ドラム
６０      螺旋羽根
７５      傾斜羽根部
７７      搬送ガイド
【図１】
0006650711.tif 000002
【図２】
0006650711.tif 000003
【図３】
0006650711.tif 000004
【図４】
0006650711.tif 000005
【図５】
0006650711.tif 000006
【図６】
0006650711.tif 000007
【図７】
0006650711.tif 000008
【図８】
0006650711.tif 000009
【図９】
0006650711.tif 000010
【図１０】
0006650711.tif 000011
【図１１】
0006650711.tif 000012
【図１２】
0006650711.tif 000013
【図１３】
0006650711.tif 000014
【図１４】
0006650711.tif 000015
【図１５】
0006650711.tif 000016
【図１６】
0006650711.tif 000017
【図１７】
0006650711.tif 000018
【図１８】
0006650711.tif 000019
【図１９】
0006650711.tif 000020